(57)【要約】【課題】負荷に電力を供給する電源に関する情報を推定可能な電源情報推定装置を提供すること。【解決手段】電源情報推定装置２９は、電力情報取得部７１と、電源情報推定部７３と、を備える。電力情報取得部７０は、需要家Ａ２０の外部の電源から負荷２４に供給される電力について電圧および電流のうち少なくとも一方の過渡応答に関する情報を取得する。電源情報推定部７３は、過渡応答に関する情報に基づいて電源に関する情報を推定する。【選択図】図１
2017153287.tif 000002
【特許請求の範囲】
【請求項１】
需要家の外部の電源から負荷に供給される電力について電圧および電流のうち少なくとも一方の過渡応答に関する情報を取得する電力情報取得部と、
前記過渡応答に関する情報に基づいて前記電源に関する情報を推定する電源情報推定部と、
を備えた、
電源情報推定装置。
【請求項２】
前記電源情報推定部は、
無負荷状態から負荷が投入される第１状態変化および負荷投入状態から負荷が遮断される第２状態変化のうち少なくとも一方における前記過渡応答に関する情報に基づいて前記電源に関する情報を推定する、
請求項１に記載の電源情報推定装置。
【請求項３】
前記電源情報推定部は、外部電源の起動時または停電時の状態変化のうち少なくとも一方の過渡応答に関する情報に基づいて前記電源に関する情報を推定する、
請求項１に記載の電源情報推定装置。
【請求項４】
前記過渡応答に関する情報と前記電源に関する情報とが対応付けられたデータベースを更に備え、
前記電源情報推定部は、前記データベースに基づいて、前記電源に関する情報を推定する、
請求項１〜３のいずれかに記載の電源情報推定装置。
【請求項５】
前記過渡応答に関する情報は、前記過渡応答における電圧の値、周波数の変動幅、もしくは前記過渡応答の時間、または前記過渡応答における電流の値、周波数の変動幅、もしくは過渡応答の時間を含み、
前記電源に関する情報は、前記電源の種類を含み、
前記データベースにおいて、前記電源の種類ごとに、前記電圧もしくは前記電流の値の範囲、前記変動幅の範囲、または前記過渡応答の時間範囲が設定されており、
前記電源情報推定部は、前記データベースに基づいて、前記電源の種類を推定する、
請求項４に記載の電源情報推定装置。
【請求項６】
前記電源は、他の需要家の発電装置、蓄電池、または系統連系された外部電源である、
請求項１に記載の電源情報推定装置。
【請求項７】
前記過渡応答が存在するか否かを判定する過渡応答存否判定部を備えた、
請求項１に記載の電源情報推定装置。
【請求項８】
需要家の外部の電源から負荷に供給される電力について電圧および電流のうち少なくとも一方の過渡応答に関する情報を取得する電力情報取得ステップと、
前記過渡応答に関する情報に基づいて前記電源に関する情報を推定する電源情報推定ステップと、
を備えた、
電源情報推定方法。
【請求項９】
需要家の外部の電源から負荷に供給される電力について電圧および電流のうち少なくとも一方の過渡応答に関する情報を取得する電力情報取得ステップと、
前記過渡応答に関する情報に基づいて前記電源に関する情報を推定する電源情報推定ステップと、
を備えた電源情報推定方法をコンピュータに実行させる電源情報推定プログラム。
【発明の詳細な説明】
【技術分野】
【０００１】
本発明は、電源情報推定装置、電源情報推定方法および電源情報推定プログラム
に関する。
【背景技術】
【０００２】
近年、再生可能エネルギーを利用して発電する発電装置（例えば、太陽光発電装置）が活用されている。これらの発電装置を導入している需要家は、負荷が存在する場合には発電装置から発電された電力を直接利用し、負荷が存在しない場合には電力会社に売電、あるいは蓄電装置に電力を一時的に蓄える。そして、負荷が発生した場合に、需要家は、蓄電装置に蓄電した電力を利用する。
【０００３】
また、所定の需要家群において電力の融通が可能な場合、需要家群に対する電力会社からの給電が停電したときに、使用可能な電力を十分に持っていない需要家の負荷に対して他の需要家の蓄電装置や発電装置から電力を融通することが考えられる。
このように、負荷に電力を供給する電源として、電力会社の電源の代わりに、他の需要家の蓄電装置や発電装置を電源として用いることが考えられる。
【０００４】
一方、例えば、特許文献１には、負荷側からみた電力系統側のインピーダンスを測定することによって電力需要を推定し、負荷装置の制御を行うことが開示されている（例えば、特許文献１参照。）。
【先行技術文献】
【特許文献】
【０００５】
【特許文献１】特開２０１０−７４９９１号公報
【発明の概要】
【発明が解決しようとする課題】
【０００６】
しかしながら、発電装置で発電された電力、蓄電装置に一時的に蓄えられた電力、および電力会社の電源から供給される電力では、電圧波形の特定や放電に関する特性が様々である。
そのため、上記のように電源を変更する場合、電源の給電条件に合わせた負荷側の制御が望まれるが、どのような電源から負荷に対して電力が供給されているか推定できないため、特許文献１に示すように負荷側の制御を行うことができなかった。
【０００７】
本発明は、上記従来の課題を考慮し、負荷に電力を供給する電源に関する情報を推定可能な電源情報推定装置、電源情報推定方法、および電源情報推定プログラムを提供することを目的とする。
【課題を解決するための手段】
【０００８】
第１の発明に係る電源情報推定装置は、電力情報取得部と、電源情報推定部と、を備える。電力情報取得部は、需要家の外部の電源から負荷に供給される電力について電圧および電流のうち少なくとも一方の過渡応答に関する情報を取得する。電源情報推定部は、過渡応答に関する情報に基づいて電源に関する情報を推定する。
これにより、需要家の負荷に給電する電源に関する情報を推定することができる。電源に関する情報とは、例えば、電源の種類、または状態などを含む。
【０００９】
このため、複数の需要家が所属する需要家群において電力の融通が可能な場合、例えば、電力会社の系統電源、他の需要家の蓄電装置、および他の需要家の発電装置のいずれから給電されているかを推定することができる。
このように電源を推定できることにより、例えば電源ごとの定格電力などに合わせて負荷装置を制御することも可能となる。
また、過渡応答に関する情報を利用することにより、簡易に電源に関する情報を推定することができる。
【００１０】
第２の発明に係る電源情報推定装置は、第１の発明に係る電源情報推定装置であって、電源情報推定部は、無負荷状態から負荷が投入される第１状態変化および負荷投入状態から負荷が遮断される第２状態変化のうち少なくとも一方における過渡応答に関する情報に基づいて電源に関する情報を推定する。
このように、無負荷状態から負荷投入時における過渡応答、負荷投入状態から負荷遮断時の過渡応答を検出することにより、電源に関する情報を推定することができる。
【００１１】
第３の発明に係る電源情報推定装置は、第１の発明に係る電源情報推定装置であって、電源情報推定部は、外部電源の起動時または停電時の状態変化のうち少なくとも一方の過渡応答に関する情報に基づいて電源に関する情報を推定する。
このように、外部電源の起動時の状態変化の過渡応答、外部電源の停電時の状態変化の過渡応答、またはその双方を検出することにより、電源に関する情報を推定することができる。
【００１２】
第４の発明に係る電源情報推定装置は、第１の発明に係る電源情報推定装置であって、過渡応答に関する情報と電源に関する情報が対応付けられたデータベースを更に備える。電源情報推定部は、データベースに基づいて、電源に関する情報を推定する。
このように、データベースを予め用意しておくことにより、過渡応答に関する情報から電源に関する情報を推定することができる。
【００１３】
第５の発明に係る電源情報推定装置は、第４の発明に係る電源情報推定装置であって、過渡応答に関する情報は、過渡応答における電圧の値、周波数の変動幅、もしくは過渡応答の時間、または過渡応答における電流の値、周波数の変動幅、もしくは過渡応答の時間を含み、電源に関する情報は、電源の種類を含む。データベースにおいて、電源の種類ごとに、電圧もしくは前記電流の値の範囲、変動幅の範囲または過渡応答の時間範囲が設定されている。電源情報推定部は、データベースに基づいて、電源の種類を推定する。
このように、過渡応答における周波数、電圧、若しくは電流の変動幅、または過渡応答の時間などの過渡応答に関する情報によって、電源の種類を推定することができる。
【００１４】
第６の発明に係る電源情報推定装置は、第１の発明に係る電源情報推定装置であって、電源は、他の需要家の発電装置、他の需要家の蓄電池、または系統連系された外部電源である。
このように、電源の種類として発電装置、蓄電池、または系統連系された外部電源の区別をすることができる。なお、さらに、電源の種類は、発電装置および蓄電装置の型式等の情報を含んでいてもよく、定格電圧等の情報をより細かく取得することができる。
【００１５】
第７発明に係る電源情報推定装置は、第３の発明に係る電源情報推定装置であって、過渡応答存否判定部を備える。過渡応答存否判定部は、過渡応答が存在するか否かを判定する。
これにより、過渡応答が存在するかしないかを判定することができる。
【００１６】
第８の発明に係る電源情報推定方法は、電力情報取得ステップと、電源情報推定ステップとを備える。電源情報取得ステップは、需要家の外部の電源から負荷に供給される電力について電圧および電流のうち少なくとも一方の過渡応答に関する情報を取得する。電源情報推定ステップは、過渡応答に関する情報に基づいて電源に関する情報を推定する。
これにより、負荷に給電する電源に関する情報を推定することができる。
【００１７】
第９の発明に係る電源情報推定プログラムは、電力情報取得ステップと、電源情報推定ステップとを備える電源情報推定方法をコンピュータに実行させる。電源情報取得ステップは、需要家の外部の電源から負荷に供給される電力について電圧および電流のうち少なくとも一方の過渡応答に関する情報を取得する。電源情報推定ステップは、過渡応答に関する情報に基づいて電源に関する情報を推定する。
【００１８】
これにより、負荷に給電する電源に関する情報を推定することができる。
【発明の効果】
【００１９】
本発明によれば、負荷に電力を供給する電源に関する情報を推定可能な電源情報推定装置、電源情報推定方法、および電源情報推定プログラムを提供することを目的とする。
【図面の簡単な説明】
【００２０】
【図１】本発明に係る実施の形態の電源情報推定装置を所有する需要家の電気機器と配電線系統との接続関係を示すブロック図。
【図２】図１の電源情報推定装置の構成を示すブロック図。
【図３】（ａ）無負荷状態から７０％負荷を投入したときの過渡応答を示す図、（ｂ）１００％負荷投入状態から負荷を遮断したときの過渡応答を示す図。
【図４】無負荷状態から７０％の負荷を投入したときにおける電圧値の時間変化を示す図。
【図５】無負荷状態から７０％の負荷を投入したときにおける電流値の時間変化を示す図。
【図６】図２の電源情報推定装置が有するデータベースを示す図。
【図７】（ａ）負荷に電力を供給する外部電源を起動したときにおける電圧値の周波数の時間変化を示す図、（ｂ）外部電源から負荷への電力が停電したときにおける電圧値の周波数の時間変化を示す図。
【図８】図２の電源情報推定装置が有する他のデータベースであって、外部電源が起動または停電した場合における過渡応答と電源に関する情報を対応付けたデータベースを示す図。
【図９】図２の電源情報推定装置の動作を示すフロー図。
【図１０】本発明に係る実施の形態の変形例における電源情報推定装置を所有する需要家の電気機器を示すブロック図。
【図１１】本発明に係る実施の形態の変形例における電源情報推定装置を示すブロック図。
【図１２】本発明に係る実施の形態の変形例における電源情報推定装置を示すブロック図。
【図１３】本発明に係る実施の形態の変形例における電源情報推定装置の動作を示すフロー図。
【発明を実施するための形態】
【００２１】
以下に、本発明に係る実施の形態における電源情報推定装置、電源情報推定方法、および電源情報推定プログラムについて図面を参照して説明する。
ここで、以下の説明において登場する需要家Ａ２０は、発電装置（ソーラーパネル２１）と蓄電池（蓄電装置２３）とを所有しており、電力が不足すると外部から電力を買い、余剰電力が生じると外部へと電力を売ることができる。
【００２２】
他の需要家Ｂ３０も、需要家Ａ２０と同様に、発電装置（ソーラーパネル３１）と蓄電池（蓄電装置３３）を有しており、需要家Ｃ４０も、需要家Ａ２０と同様に発電装置（ソーラーパネル４１）と蓄電池（蓄電装置４３）を有している。
これら需要家Ａ２０、Ｂ３０、Ｃ４０は、需要家群６０に含まれている。
需要家とは、電力会社１００と契約を結んでおり、電力会社１００の電源１１０から系統５０（図１参照）を介して供給される電力を使用する個人、法人、団体等であって、例えば、一般家庭（戸建て、マンション）、企業（事業所、工場、設備等）、地方自治体、国の機関等が含まれる。
【００２３】
また、上述した外部とは、電力会社、他の需要家を含む。すなわち、需要家Ａ２０が売電する外部としては、電力会社、他の需要家Ｂ３０、Ｃ４０等が挙げられる。
そして、以下の実施の形態において、スマートメータ２８、３８、４８（図１参照）とは、各需要家にそれぞれ設置され、発電量、蓄電量、電力消費量を計測し、通信機能を用いて、計測結果を電力会社等へ送信する計測機器を意味している。スマートメータ２８、３８、４８を設置したことにより、電力会社は、需要家Ａ２０、Ｂ３０、Ｃ４０におけるリアルタイムの電力状況を正確に把握できるとともに、所定期間ごとに実施される検針業務を自動化することができる。
【００２４】
さらに、以下の実施の形態において、負荷２４、３４、４４（図１）とは、例えば、需要家が一般家庭の場合には、エアコン、冷蔵庫、電力レンジ、ＩＨクッキングヒータ、テレビ等の電力消費体を意味している。また、例えば、需要家が企業（工場等）の場合には、工場内に設置された各種設備、空調設備等の電力消費体を意味している。
さらに、以下の実施の形態において、ＥＭＳ（Energy Management System）２６、３６、４６（図１）は、各需要家にそれぞれ設置されており、各需要家における消費電力量を削減するために設けられたシステムを意味している。そして、ＥＭＳ２６、３６、４６には、各々の需要家Ａ２０、Ｂ３０、Ｃ４０の外部から負荷２４、３４、４４に供給される電力の電源の情報を推定する電源情報推定装置２９、３９、４９が設けられている。
【００２５】
（実施の形態）
＜構成＞
本発明にかかる実施の形態に係る電源情報推定装置２９、３９、４９は、需要家の外部から需要家の使用する負荷に給電する電源に関する情報を推定する装置である。
例えば、電力会社１００からの系統５０を介した給電が停止した場合に、需要家群６０内において系統５０を介して電力を融通すると、電力会社の電源（系統連系された外部電源の一例）から他の需要家の蓄電池または発電装置に電源が変更されることになる。このような場合において、電源情報推定装置２９、３９、４９は、いずれの電源から電力が供給されているかを推定する。これにより、電力を供給する電源にあわせて、負荷を制御することができる。
【００２６】
具体的には、例えば、需要家Ａ２０の電源情報推定装置２９の場合、系統５０を介して負荷２４に給電する電源が、電力会社１００の電源１１０、需要家Ｂ３０のソーラーパネル３１、需要家Ｂ３０の蓄電装置３３、需要家Ｃ４０のソーラーパネル４１、および需要家Ｃ４０の蓄電装置４３のいずれであるかを推定する。
なお、図１に示す各構成をつなぐ実線は、データ等の情報の流れを示しており、一点鎖線は電気の流れを示している。
また、本実施形態の電源情報推定装置２９、３９、４９の構成については、後段において詳述する。
【００２７】
（需要家）
本実施の形態の電源情報推定装置２９、３９、４９は、各々の需要家Ａ２０、Ｂ３０、Ｃ４０のＥＭＳ２６、３６、４６に設けられている。
【００２８】
需要家Ａ２０は、図１に示すように、ソーラーパネル（発電装置）２１、太陽光発電用電力変換装置（ＰＣＳ）２２、発電電力用電力センサ２２ａ、蓄電装置（蓄電池）２３、蓄電電力用電力センサ２３ａ、負荷２４、負荷用電力センサ２４ａ、分電盤２５、ＥＭＳ（Energy Management System）２６、およびスマートメータ２８を備えている。
ソーラーパネル（発電装置）２１は、太陽光の光エネルギーを用いた光起電力効果を利用して電気を発生させる装置であって、需要家Ａ２０の屋根等に設置されている。そして、ソーラーパネル２１における発電量は、天気予報の日照時間に関する情報に基づいて予測することができる。
【００２９】
太陽光発電用電力変換装置（ＰＣＳ（Power Conditioning System））２２は、図１に示すように、ソーラーパネル２１と接続されており、ソーラーパネル２１において発生した直流電流を交流電流に変換する。
発電電力用電力センサ２２ａは、図１に示すように、太陽光発電用電力変換装置２２に接続されており、ソーラーパネル２１において発電した電力量を測定する。そして、発電電力用電力センサ２２ａは、ＥＭＳ２６に対して測定結果（発電量）を送信する。
【００３０】
蓄電装置（蓄電池）２３は、ソーラーパネル２１において発電した電力のうち、負荷２４によって消費しきれなかった余剰電力を一時的に蓄えるために設けられている。これにより、ソーラーパネル２１によって発電する日中の時間帯において、負荷２４による電力消費量が少ない場合でも、余った電力を蓄電装置２３へ蓄えておくことで、発電した電力を捨ててしまう無駄を排除できる。
【００３１】
蓄電電力用電力センサ２３ａは、図１に示すように、蓄電装置２３に接続されており、蓄電装置２３において蓄えられている電力量を測定する。そして、蓄電電力用電力センサ２３ａは、ＥＭＳ２６に対して測定結果（蓄電量）を送信する。
負荷２４は、上述したように、一般家庭におけるエアコンや冷蔵庫等の家電製品、工場等における設備、空調装置等の電力消費体であって、電力会社１００の電源１１０から供給される電力、ソーラーパネル２１によって発生した電力、蓄電装置２３において蓄えられた電力を消費する。
【００３２】
負荷用電力センサ２４ａは、図１に示すように、負荷２４に接続されており、負荷２４によって消費される電力量を測定する。そして、負荷用電力センサ２４ａは、ＥＭＳ２６に対して測定結果（消費電力量）を送信する。
分電盤２５は、図１に示すように、発電電力用電力センサ２２ａ、蓄電電力用電力センサ２３ａ、負荷用電力センサ２４ａ、およびスマートメータ２８と接続されている。そして、分電盤２５は、ソーラーパネル２１において発電した電力、蓄電装置２３に蓄えられた電力、または系統５０から買った電力を負荷２４に対して供給する。
【００３３】
また、分電盤２５は、余剰電力を、スマートメータ２８を介して系統５０へと供給する。これにより、需要家Ａ２０は、電力会社または他の需要家Ｂ３０、Ｃ４０に余剰電力を売電することができる。
ＥＭＳ（Energy Management System）２６は、上述したように、需要家Ａ２０における消費電力量を削減するために設けられたエネルギー管理システムであって、図１に示すように、発電電力用電力センサ２２ａ、蓄電電力用電力センサ２３ａおよび負荷用電力センサ２４ａと接続されている。また、ＥＭＳ２６は、各センサ２２ａ，２３ａ，２４ａから受信した検出結果を用いて、ソーラーパネル２１による発電電力、蓄電装置２３における蓄電量を効率よく負荷２４に対して供給する。これにより、系統５０から供給される電力の消費量を抑制して、需要家Ａ２０における電力コストを効果的に削減することができる。
【００３４】
ＥＭＳ２６には、負荷２４に供給される電源に関する情報を推定する電源情報推定装置２９が設けられている。
スマートメータ２８は、上述したように、需要家Ａ２０が所有するソーラーパネル２１の発電量、蓄電装置２３の蓄電量、および負荷２４の消費電力量を計測する。そして、スマートメータ２８は、図１に示すように、分電盤２５を介して各センサ２２ａ，２３ａ，２４ａと接続されている。さらに、スマートメータ２８は、通信機能を有しており、電力会社に対して、需要家Ａ２０における発電量、蓄電量、消費電力量に関する情報を送信する。
【００３５】
なお、需要家Ｂ３０、Ｃ４０も、需要家Ａと同様の構成を備えている。
需要家Ｂ３０は、図１に示すように、ソーラーパネル（発電装置）３１、太陽光発電用電力変換装置（ＰＣＳ）３２、発電電力用電力センサ３２ａ、蓄電装置（蓄電池）３３、蓄電電力用電力センサ３３ａ、負荷３４、負荷用電力センサ３４ａ、分電盤３５、ＥＭＳ（Energy Management System）３６、およびスマートメータ３８を備えている。
また、需要家Ｃ４０は、図１に示すように、ソーラーパネル（発電装置）４１、太陽光発電用電力変換装置（ＰＣＳ）４２、発電電力用電力センサ４２ａ、蓄電装置（蓄電池）４３、蓄電電力用電力センサ４３ａ、負荷４４、負荷用電力センサ４４ａ、分電盤４５、ＥＭＳ（Energy Management System）４６、およびスマートメータ４８を備えている。
【００３６】
（電源情報推定装置）
上述したように電源情報推定装置２９、３９、４９は、需要家の外部から需要家の使用する負荷に給電する電源に関する情報を推定する装置である。電源情報推定装置２９、３９、４９は、各需要家Ａ２０、Ｂ３０、Ｃ４０のＥＭＳ２６、３６、４６に設けられている。
【００３７】
電源に関する情報とは、電源の種類・状態を含む。電源の種類とは、例えば電力会社の電源、蓄電池、発電装置等を示し、更には蓄電池や発電装置の製品の種類（例えば、型式）等を示してもよい。また、電源の状態とは、電源の種類から導き出せる情報を含み、例えば、その電源の持つ定格出力、最大出力等を示す。
なお、電源情報推定装置２９、３９、４９の構成は同様であるため、需要家Ａ２０が所有する電源情報推定装置２９について説明する。図２は、電源情報推定装置２９の制御構成を示すブロック図である。
【００３８】
電源情報推定装置２９は、電力情報取得部７１と、過渡応答存否判定部７２と、電源情報推定部７３と、データベース７４と、を備える。
電力情報取得部７１は、系統５０からスマートメータ２８、分電盤２５、および負荷用電力センサ２４ａを介して負荷２４に供給される電力の電圧および電流のうち少なくとも一方の情報を取得する。この情報とは、例えば、過渡応答に関する情報および、定常状態に関する情報を含む。過渡応答に関する情報とは、過渡応答における電圧、電流もしくはそれらの周波数の変動幅、または過渡応答の時間の情報を含む。また、定常状態に関する情報とは、電圧または電流の時間変化の情報を含む。電力情報取得部７１は、電力の電圧および電流のうち少なくとも一方の情報を常時取得している。
【００３９】
過渡応答存否判定部７２は、無負荷状態から負荷が投入される第１状態変化および負荷投入状態から負荷が遮断される第２状態変化において、過渡応答が発生したか否かを判定する。
図３（ａ）は、第１状態変化の一例として無負荷状態から７０％の負荷を投入したときにおける電圧値の周波数の時間変化を示す図である。図３（ｂ）は、第２状態変化の一例として１００％負荷状態から負荷を遮断したときにおける電圧値の周波数の時間変化を示す図である。図３（ａ）に示す例では、無負荷状態における周波数は６２Ｈｚであるが、７０％負荷投入すると過渡応答として周波数は５９Ｈｚまで下がってから６０．３Ｈｚの定常状態になる。また、図３（ｂ）に示す例では、１００％負荷状態における周波数は６０Ｈｚであるが、負荷を遮断すると過渡応答として周波数は６３Ｈｚまで上がってから６２．７Ｈｚの定常状態になる。
【００４０】
また、図４は、無負荷状態から７０％の負荷を投入したときにおける電圧値の時間変化を示す図である。図４では、０．２ｓｅｃ近傍の点線で囲まれた部分で電圧値が１０３Ｖまで上昇しており、過渡応答が発生している。
さらに、図５は、無負荷状態から７０％の負荷を投入したときにおける電流値の時間変化を示す図である。図５では、０．２ｓｅｃ近傍で電流値が１０．９Ａ付近まで上昇しており、過渡応答が発生している。
【００４１】
電源情報推定部７３は、過渡応答存否判定部７２によって過渡応答が存在すると判定された場合に、データベース７４に基づいて過渡応答に関する情報から電源に関する情報を推定する。
データベース７４は、過渡応答に関する情報と電源に関する情報を対応付けて記憶している。図６は、データベース７４に記憶されているデータの一例を示す図である。図６では、電源の種類（メーカ名、型式、タイプ（発電装置、蓄電装置の別等））ごとに、電圧値の変動幅、電圧の周波数の変動幅ならびに電圧の過渡応答時間の範囲、および電流値の変動幅、電流の周波数の変動幅ならびに電流の過渡応答時間の範囲が示されている。なお、周波数の変動幅と過渡応答時間の幅については電流と電圧で同じ範囲となっている。
【００４２】
例えば、図３（ａ）に示す例では、周波数の変動幅は約３Ｈｚであり、過渡応答の時間は約１ｍｓｅｃであるため、電源情報推定部７３は、外部から負荷２４に電力を供給している電源は型式ＢＢ−ＣＤＥ１１の蓄電装置であると推定できる。また、図４に示す例では、電圧値の変動幅は、１００Ｖ±３．０Ｖ以内であり、図５に示す例では、電流値の変動幅は１０Ａ±３．０Ｖ以内であるため、電源情報推定部７３は、外部から負荷２４に電力を供給している電源は型式ＢＢ−ＣＤＥ１１の蓄電装置であると推定できる。
【００４３】
なお、データベース７４は、外部電源の電気が流れた状態における負荷投入または負荷遮断のときの過渡応答に関する情報と電源に関する情報を対応付けて記憶しているが、これらに限らなくてもよい。たとえば、外部電源が起動または停電した場合における過渡応答と電源に関する情報を対応付けたデータベースが設けられていてもよい。
図７（ａ）は、負荷２４に電力を供給する外部電源を起動したときにおける電圧値の周波数の時間変化を示す図である。図７（ｂ）は、外部電源から負荷２４への電力が停電したときにおける電圧値の周波数の時間変化を示す図である。図７（ａ）では、０．２ｓｅｃ過ぎに外部電源を起動すると、約０．７ｓｅｃまで周波数が６１．４Ｈｚから６０．３Ｈｚまで下降し、定常状態となる。図７（ｂ）では、約０，２ｓｅｃで外部電源が停止されると周波数は６２．３Ｈｚまで上昇してから０．６ｓｅｃで６１．４Ｈｚの定常状態となる。
【００４４】
図８に示すデータベース７５は、図７（ａ）および図７（ｂ）に示すような、外部電源の起動・停電時における電圧値の変動幅、電圧の周波数の変動幅ならびに過渡応答時間の範囲、および電流値の変動幅、電流の周波数の変動幅、ならびに過渡応答時間の範囲が示されている。なお、周波数の変動幅と過渡応答時間の幅については電流と電圧で同じ範囲となっている。
【００４５】
図７（ａ）および図７（ｂ）では、周波数の変動幅が６０Ｈｚ±３．０以内であり、過渡応答の時間が１．０ｓｅｃ±０．５ｓｅｃ以内であるため、外部電源の種類は、型式ＢＢ−ＣＤＥ１１の蓄電装置であると推定できる。
なお、データベース７４に設けられている複数の項目（電圧値の変動幅、電圧の周波数の変動幅ならびに電圧の過渡応答時間の範囲、および電流値の変動幅、電流の周波数の変動幅ならびに電流の過渡応答時間の範囲）は、どれか１つの項目を用いて電源の種類を推定してもよいし、複数の項目を組み合わせて用いても良い。データベース７５の複数の項目（外部電源の起動・停電時における電圧値の変動幅、電圧の周波数の変動幅ならびに過渡応答時間の範囲、および電流値の変動幅、電流の周波数の変動幅、ならびに過渡応答時間の範囲）についても同様である。
【００４６】
＜動作＞
次に、本発明にかかる実施の形態の電源情報推定装置２９、３９、４９の動作について説明するとともに、本発明の電源情報推定方法についても同時に述べる。なお、一例として需要家Ａの電源情報推定装置２９の動作について説明する。
図９は、本実施の形態の電源情報推定装置２９の動作を示すフロー図である。
【００４７】
図９に示すように、ステップＳ１１において、電力情報取得部７１によってＥＭＳ２６から電圧情報が取得される。この電圧情報の取得は常時行われている。なお、ステップＳ１１は、電力情報取得ステップの一例に対応する。また、電圧情報に限らず電流情報であってもよい。
ステップＳ１２において、電力情報取得部７１によって検出された電圧情報について過渡応答存否判定部７２が過渡応答の有無を判定する。
【００４８】
過渡応答が存在する場合には、ステップＳ１３において、電源情報推定部７３は、取得した電圧の情報（電圧の時間変化）から過渡応答に関する情報（周波数の変動幅、過渡応答時間）を抽出する。
次に、ステップＳ１５において、電源情報推定部７３は、データベース７４に基づいて、過渡応答に関する情報（図６に示す周波数の変動幅、過渡応答時間、電圧の変動幅、電流の変動幅などの項目）から電源の情報（図６に示す種類（メーカー名、型式、タイプ）・状態など）を推定する。データベース７５が設けられている場合には、電源情報推定部７３は、データベース７５に基づいて電源の情報を推定しても良い。ステップＳ１３、Ｓ１５は、電源情報推定ステップの一例に対応する。
【００４９】
一方、ステップＳ１２において、過渡応答存否判定部７２によって第１状態変化または第２状態変化において過渡応答が存在しないと判定された場合には、制御はステップＳ１４へと進む。
そして、ステップＳ１４では、エラー処理が行われて制御は終了する。
以上のように、需要家の負荷に給電する電源に関する情報を推定することができる。このため、複数の需要家Ａ２０、Ｂ３０、Ｃ４０が所属する所定の需要家群６０間において電力の融通が可能な状態において、例えば、需要家Ａ２０については、電力会社１００の電源１１０、他の需要家Ｂ３０、Ｃ４０の蓄電装置３３、４３、および他の需要家Ｂ３０、Ｃ４０のソーラーパネル３１、４１のどの電源から給電されているかを推定することができる。
【００５０】
このように電源を推定できることにより、例えば電源ごとの定格電力などに合わせて負荷装置を制御することも可能となる。例えば、需要家Ａ２０が需要家Ｂ３０の蓄電装置３３を電源とし系統５０を介して電力が融通される場合、蓄電装置３３の定格出力が負荷２４の使用電力よりも低いときには、例えばＥＭＳ２６等がブレーカーのオン・オフを行い、負荷の使用電力が定格電力を超えないように制御することができる。
【００５１】
［他の実施形態］
以上、本発明の一実施形態について説明したが、本発明は上記実施形態に限定されるものではなく、発明の要旨を逸脱しない範囲で種々の変更が可能である。
（Ａ）
上記実施の形態１では、本発明に係る電源情報推定方法として、図９に示すフローチャートに従って、電源情報推定方法を実施する例を挙げて説明したが、これに限定されるものではない。
例えば、図９に示すフローチャートに従って実施される電源情報推定方法をコンピュータに実行させる電源情報推定プログラムとして、本発明を実現しても良い。
【００５２】
また、電源情報推定プログラムの一つの利用形態は、コンピュータにより読取可能な、ＲＯＭ等の記録媒体に記録され、コンピュータと協働して動作する態様であってもよい。
また、電源情報推定プログラムの一つの利用形態は、インターネット等の伝送媒体、光・電波・音波などの伝送媒体中を伝送し、コンピュータにより読みとられ、コンピュータと協働して動作する態様であってもよい。
また、上述したコンピュータは、ＣＰＵ等のハードウェアに限らずファームウェアや、ＯＳ、更に周辺機器を含むものであってもよい。
なお、以上説明したように、電源情報推定はソフトウェア的に実現してもよいし、ハードウェア的に実現しても良い。
【００５３】
（Ｂ）
上記実施の形態では、電源情報推定装置２９はＥＭＳ２６に設けられているが、これに限られるものではない。例えば、図１０に示すように、電源情報推定装置２９がスマートメータ２８に設けられていてもよい。
【００５４】
（Ｃ）
上記実施の形態の電源情報推定装置２９はＥＭＳ２６に設けられているが、図１１の電源情報推定装置１２９のように、ＥＭＳ２６と別々に設けられていてもよい。この場合、図１１に示す電源情報推定装置１２９の電力情報取得部１７１は、図２に示す電力情報取得部７１と比較して、通信機能を更に有しており、ＥＭＳ２６と通信を行って電力に関する情報を取得する。通信としては、無線または有線のいずれを用いてもよく、インターネット回線を用いた通信であってもよい。また、電源情報推定装置１２９は、クラウドコンピューティングシステムにおける仮想サーバであってもよく、電源情報推定プログラムが仮想サーバによって実行されてもよい。
【００５５】
（Ｄ）
上記実施の形態では、需要家Ａ２０は、蓄電装置２３およびソーラーパネル２１を有しているが、どちらか一方のみ有していてもよいし、双方を有していなくてもよい。要するに、電源情報推定装置２９が、系統５０を介して需要家Ａ２０に供給する電力の電源に関する情報を推定できればよい。なお、需要家Ｂ３０、Ｃ４０も同様に、蓄電装置３３、４３およびソーラーパネル３１、４１のうちいずれか一方のみ有していてもよいし、双方を有していなくてもよい。
（Ｅ）
上記実施の形態では、データベース７４と、データベース７５は分けて説明しているが、データベース７４とデータベース７５は、１つのデータベースであってもよい。
【００５６】
（Ｆ）
上記実施の形態では、過渡応答存否判定部７２は、電力情報取得部７１によって取得された電流または電圧について過渡応答を常に判定しているが、負荷変動をトリガーとして判定してもよい。このような電源情報推定装置２２９が、図１２に示されている。図１２に示す電源情報推定装置２２９は、負荷変化検出部７７を有している。負荷変化検出部７７は、負荷用電力センサ２４ａの検出値から図３（ａ）、（ｂ）に示すような第１状態変化および第２状態変化を検出する。
【００５７】
図１３は、図１２に示す電源情報推定装置２２９の動作を示すフロー図である。図１０に示すように、ステップＳ１１の後のステップＳ２０において、負荷変化検出部７７が負荷の第１状態変化または第２状態変化を検出すると、過渡応答存否判定部７２は第１状態変化または第２状態変化において過渡応答が発生したか否かを判定する。そして、過渡応答が発生している場合には、ステップＳ１３、Ｓ１５において電源情報推定部７３によって電源情報の推定が行われる。一方、過渡応答が発生していない場合には、ステップＳ１４においてエラー処理が行われる。
【００５８】
（Ｇ）
上記実施形態では、需要家Ａ２０、需要家Ｂ３０、需要家Ｃ４０が所有する発電装置として、ソーラーパネル２１、３１、４１（太陽光発電装置）を用いた例を挙げて説明したが、これに限定されるものではない。
例えば、複数の需要家が所有する発電装置として、風力発電装置、地熱発電装置、ディーゼル発電装置等の他の発電装置を用いてもよい。
【産業上の利用可能性】
【００５９】
本発明の電源情報推定装置、電源情報推定方法、および電源情報推定プログラムは、負荷に電力を供給する電源に関する情報を推定可能な効果を有し、蓄電池および発電装置を所有する需要家群等において有用である。
【符号の説明】
【００６０】
２１              ：ソーラーパネル
２２              ：太陽光発電用電力変換装置
２２ａ            ：発電電力用電力センサ
２３              ：蓄電装置
２３ａ            ：蓄電電力用電力センサ
２４              ：負荷
２４ａ            ：負荷用電力センサ
２５              ：分電盤
２６              ：ＥＭＳ
２８              ：スマートメータ
２９              ：電源情報推定装置
３１              ：ソーラーパネル
３２              ：太陽光発電用電力変換装置
３２ａ            ：発電電力用電力センサ
３３              ：蓄電装置
３３ａ            ：蓄電電力用電力センサ
３４              ：負荷
３４ａ            ：負荷用電力センサ
３５              ：分電盤
３６              ：ＥＭＳ
３８              ：スマートメータ
３９              ：電源情報推定装置
４１              ：ソーラーパネル
４２              ：太陽光発電用電力変換装置
４２ａ            ：発電電力用電力センサ
４３              ：蓄電装置
４３ａ            ：蓄電電力用電力センサ
４４              ：負荷
４４ａ            ：負荷用電力センサ
４５              ：分電盤
４６              ：ＥＭＳ
４８              ：スマートメータ
４９              ：電源情報推定装置
５０              ：系統
６０              ：需要家群
７１              ：電力情報取得部
７２              ：過渡応答存否判定部
７３              ：電源情報推定部
７４              ：データベース
７５              ：データベース
７７              ：負荷変化検出部
１００            ：電力会社
１１０            ：電源
１２９            ：電源情報推定装置
１７０            ：電力情報取得部
Ａ２０            ：需要家
Ｂ３０            ：需要家
Ｃ４０            ：需要家
【図１】
2017153287.tif 000003
【図２】
2017153287.tif 000004
【図３】
2017153287.tif 000005
【図４】
2017153287.tif 000006
【図５】
2017153287.tif 000007
【図６】
2017153287.tif 000008
【図７】
2017153287.tif 000009
【図８】
2017153287.tif 000010
【図９】
2017153287.tif 000011
【図１０】
2017153287.tif 000012
【図１１】
2017153287.tif 000013
【図１２】
2017153287.tif 000014
【図１３】
2017153287.tif 000015